(57)【要約】【課題】  カバーをスライド移動して本体を開閉する場合、カバーをカバーの全体  移動ルートの一部だけ移動させることで、残りの移動ルートはカバーが自ら移動することにより、本体の開閉動作を便利に遂行し得る携帯端末機及びそれに適用されるスライド装置を提供する。【解決手段】  第１ボディーと、前記第１ボディーにスライド可能に設置される第２ボディーと、前記第１ボディーと前記第２ボディー間に設置され、前記第２ボディーのスライドを案内するとともに、該第２ボディーが前記第１ボディーの所定位置を通過した以後からは、前記第２ボディーが前記第１ボディーの特定区間の間自動にスライドされるようになるスライド装置と、を包含して携帯端末機を構成する。【選択図】  図１
2005135417.tif 000002
【特許請求の範囲】
【請求項１】
第１ボディーと、
前記第１ボディーにスライド可能に設置される第２ボディーと、
前記第１ボディーと前記第２ボディーとの間に設置され、前記第２ボディーのスライド移動を案内するとともに、前記第２ボディーが前記第１ボディーの所定位置を過ぎた以後から、前記第２ボディーが前記第１ボディーの特定区間の間自動にスライドされるようにするスライド装置と、
を含んで構成されることを特徴とする携帯端末機。
【請求項２】
前記スライド装置は、
前記第２ボディーにスライド方向に沿って所定幅及び深さに形成されるレールと、
前記第１ボディーに固定され、前記レールと連結されて前記第２ボディーのスライド移動を案内するように弾性力を有したガイド部材と、
前記レールと前記ガイド部材との間に設置され、前記レールの移動に従って所定区間の間前記ガイド部材の弾性力を変化させるスライド部材と、から構成されることを特徴とする請求項１に記載の携帯端末機。
【請求項３】
前記レールは、内部に前記第２ボディーのスライド方向に延長形成される空間を有して形成され、前記スライド部材は、前記レールの内部に設置されて、前記第２ボディーのスライド方向に沿って前記レールの幅を変化させる板状に形成されることを特徴とする請求項２に記載の携帯端末機。
【請求項４】
前記ガイド部材は、
前記第１ボディーに固定されるコネクターと、
該コネクターに支持され、前記スライド部材に当接されるように前記レールの内部に挿入される弾性部材と、から構成されることを特徴とする請求項３に記載の携帯端末機。
【請求項５】
前記弾性部材は、前記コネクターの一側に突出される突条に巻かれて固定される板スプリング形状に形成されることを特徴とする請求項４に記載の携帯端末機。
【請求項６】
前記弾性部材は、前記スライド部材と実質的に線接触するように前記スライド部材に向かって折曲部が形成されることを特徴とする請求項５に記載の携帯端末機。
【請求項７】
前記スライド部材は、１対で構成されて前記レールの両側に対向するように設置され、前記ガイド部材は、前記１対のスライド部材間に配置されることを特徴とする請求項４に記載の携帯端末機。
【請求項８】
前記弾性部材は、前記１対のスライド部材にそれぞれ線接触するように前記１対のスライド部材に向かって折曲部が形成されることを特徴とする請求項７に記載の携帯端末機。
【請求項９】
前記スライド部材は、前記レールの幅が変化するように折曲されることを特徴とする請求項４に記載の携帯端末機。
【請求項１０】
前記スライド部材が折曲される折曲部は、複数形成されることを特徴とする請求項９に記載の携帯端末機。
【請求項１１】
前記スライド部材は、
前記レールの外側に向かって凸状に折曲される第１折曲部と、
前記第１折曲部の両側から前記レールの内側に向かって凸状に折曲される１対の第２折曲部と、を含むことを特徴とする請求項１０に記載の携帯端末機。
【請求項１２】
前記第２ボディーが前記第１ボディーを完全に覆った状態で、前記ガイド部材は、前記第１折曲部に位置することを特徴とする請求項１１に記載の携帯端末機。
【請求項１３】
前記スライド部材は、前記第１折曲部と隣接する前記ガイド部材の一面に向かってテーパされた形状に形成されることを特徴とする請求項１１に記載の携帯端末機。
【請求項１４】
前記複数の折曲部の折曲角度は、相互同様であることを特徴とする請求項１０に記載の携帯端末機。
【請求項１５】
前記複数の折曲部の折曲角度は、相違することを特徴とする請求項１０に記載の携帯端末機。
【請求項１６】
前記弾性部材及び前記スライド部材の少なくともいずれか一方には、前記弾性部材と前記スライド部材間の潤滑のための潤滑膜が形成されることを特徴とする請求項４に記載の携帯端末機。
【請求項１７】
前記潤滑膜は、金属またはテフロン（登録商標）からなることを特徴とする請求項１６に記載の携帯端末機。
【請求項１８】
前記ガイド部材は、
前記第１ボディーに固定されるコネクターと、
前記コネクターにそれぞれスライド可能に連結され、前記スライド部材と接触するように前記レールの内側に挿入される第１及び第２部材と、
前記第１部材と第２部材間に配置され、前記第１及び第２部材が設定距離以内に相互隣接しないようにそれら第１部材と第２部材間に弾性力を与えるスプリングと、から構成されることを特徴とする請求項３に記載の携帯端末機。
【請求項１９】
前記コネクターには、前記第１及び第２部材のスライド方向に沿って前記第１及び第２部材がスライド可能に挿入されるスロットが形成されることを特徴とする請求項１８に記載の携帯端末機。
【請求項２０】
前記第１及び第２部材は、
一側に前記スプリングの両端がそれぞれ支持されるスプリングシートを有するスプリング支持部と、
前記スプリング支持部から前記コネクターに向かって延長されるスタッド部と、
前記スタッド部の一端から該スタッド部より大きい幅に拡大され、前記コネクターのスロットに挿入される挿入部と、をそれぞれ含むことを特徴とする請求項１９に記載の携帯端末機。
【請求項２１】
携帯端末機の第１ボディーと第２ボディーとをスライド可能に連結する携帯端末機のスライド装置であって、
前記第１ボディーの一面に形成され、所定深さ、長さ及び幅を有するグルーブと、
前記グルーブの内側に挿合され、前記グルーブとの間で幅が減少する第１通路が形成されるように折曲される第１折曲部を有したＶ字型の第１板と、
前記第２ボディーに固定されて前記第１板とスライド可能に接触され、前記グルーブ内でスライドされながら、前記第１折曲部に至る間にスライド方向の反対方向の抵抗を受け、前記第１折曲部から遠ざかるときはスライド方向の力を受けるガイド部材と、
を含んで構成されることを特徴とする携帯端末機のスライド装置。
【請求項２２】
前記ガイド部材は、前記第１通路内で前記第１折曲部を通過するとき弾力的に変形されるように弾性を有することを特徴とする請求項２１に記載の携帯端末機のスライド装置。
【請求項２３】
前記第１板は、前記ガイド部材が前記第１通路内で前記第１折曲部を通過する時、前記第１通路の幅が広くなるように、弾性を有することを特徴とする請求項２１に記載の携帯端末機のスライド装置。
【請求項２４】
前記グルーブの内部で前記第１板と対向し、該前記第１板との間で幅が減少される第２通路が形成されるように、前記第１板の第１折曲部と対応する位置で折曲される第２折曲部を有したＶ字型の第２板がさらに含まれることを特徴とする請求項２１に記載の携帯端末機のスライド装置。
【請求項２５】
前記ガイド部材が前記第１及び第２折曲部に向かってスライドされる時、前記ガイド部材にはスライド方向の反対方向に抵抗が作用することを特徴とする請求項２４に記載の携帯端末機のスライド装置。
【請求項２６】
前記ガイド部材が前記第１及び第２折曲部から遠い方向にスライドされる時、前記ガイド部材にはスライド方向に力が作用することを特徴とする請求項２４に記載の携帯端末機のスライド装置。
【請求項２７】
前記ガイド部材は、前記第２通路内で前記第１及び第２折曲部を通過しながら弾力的に変形するように弾性を有することを特徴とする請求項２４に記載の携帯端末機のスライド装置。
【請求項２８】
前記第１及び第２板は、前記ガイド部材が前記第２通路内で前記第１及び第２折曲部を過ぎる時、前記第２通路の幅が広くなるようにそれぞれ弾性を有することを特徴とする請求項２４に記載の携帯端末機のスライド装置。
【請求項２９】
カバーを携帯端末機の前方にスライド可能に連結させる携帯端末機のスライド装置であって、
前記カバーの内面に該カバーのスライド方向に延長形成された空間状のレールと、
前記携帯端末機の前方に固定される第１部並びに、該第１部に脱着自在に設置され、テーパ形状の縁部を有する第２部から形成されたガイド部材と、
板状に形成されて前記レールの内部に挿入されることで、折曲される折曲部を有するスライド部材と、を含んで構成され、
前記ガイド部材が前記レールの内部に挿入される時、前記ガイド部材の第２部の縁部は、前記折曲部に接触され、前記ガイド部材は、前記スライド部材の長さ方向にスライドされることを特徴とする携帯端末機のスライド装置。
【請求項３０】
前記ガイド部材の第２部の縁部が前記スライド部材の折曲部の頂点に接触する時、前記カバーには前記カバーがスライドされる方向の反対方向に最大の抵抗が作用することを特徴とする請求項２９に記載の携帯端末機のスライド装置。
【発明の詳細な説明】
【技術分野】
【０００１】
本発明は、携帯端末機に係るもので、特に、スライド方式で相互連結される本体とカバーを有するスライド型携帯端末機に関するものである。
【背景技術】
【０００２】
一般に、携帯端末機は、バー型（ｂａｒ  ｔｙｐｅ）、フリップ型（ｆｌｉｐ  ｔｙｐｅ）及び折り畳み型（ｆｏｌｄｅｒ  ｔｙｐｅ）のような多様なタイプに分類される。且つ、最近の携帯端末機は、画像撮影機能及び無線インターネット機能の導入により、多様な情報が画像で表示される液晶画面のサイズをより大きくすることが必要になっている。
【０００３】
しかしながら、バー型またはフリップ型携帯端末機の場合、比較的に大きい液晶画面を装着するためには携帯端末機全体のサイズが大きくなるという短所があり、折り畳み型携帯端末機の場合は、携帯端末機の全体サイズの半分以下の液晶画面しか収容し得ないという短所がある。
また、図３８及び図３９に示にされたように、従来の携帯端末機においては、通信制御を担当する回路部（図示せず）、情報が入力される複数のキー２１、使用者の音声信号が入力される送信部２２、及び通信用電波を送受信するアンテナ２３を備える本体２０と、該本体２０にスライド可能に装着され、画像情報が表示される液晶画面１１、及び相手の音声信号が使用者に伝達される受話部１２を備えるカバー１０と、前記本体２０の一方側に着脱自在に装着されて電源を供給するバッテリー２４と、から構成される。
【０００４】
また、図４０に示されたように、前記カバー１０の前記本体２０と対向する面には１対の突起１８がそれぞれ突成され、前記本体２０の前記カバー１０と対向する面には前記カバー１０のスライド方向に延長されて前記カバー１０の突起１８がそれぞれスライド可能に挿入係合される案内溝２５が形成されている。
【０００５】
このように構成されることで、使用者が前記カバー１０を前記本体２０から上下方向にスライドさせると、前記突起１８が前記案内溝２５に沿って移動し、よって、前記カバー１０により前記本体２０の前方側が開放または覆蓋されるようになる。
【０００６】
しかしながら、従来の携帯端末機は、前記本体２０の前方側を開放または覆蓋する場合、前記カバー１０を前記本体２０の前方側が完全に開放されるまで押すか、または前記カバー１０を前記本体２０の前方側が完全に覆蓋されるまで引くようになるため、不便であった。
【０００７】
つまり使用者は、両手を使用して片手では前記本体２０をつかみ、他の片手で前記カバー１０を押すか引くようになるため、煩雑であった。
【０００８】
また、前記本体２０の案内溝２５は、前記カバー１０の対向面に形成されるため、前記本体２０の前方側が開放される場合、前記案内溝２５が外部に露出され、よって、前記案内溝２５の内部に外部の異質物が入りやすく製品破損の恐れがあるという不具合のがあった。
【発明の開示】
【発明が解決しようとする課題】
【０００９】
本発明は、このような従来技術の問題点を解決するために提案されたもので、本発明の目的は、カバーをスライド移動して本体を開閉する場合、カバーをカバーの全体  移動ルートの一部だけ移動させても、残りの移動ルートはカバーが自ら移動することにより、本体の開閉動作を便利に遂行し得る携帯端末機及びそれに使用されるスライド装置を提供することにある。
【課題を解決するための手段】
【００１０】
このような目的を達成するための本発明に係る携帯端末機は、第１ボディーと、前記第１ボディーにスライド可能に設置される第２ボディーと、前記第１ボディーと前記第２ボディーとの間に設置され、前記第２ボディーのスライド移動を案内するとともに、前記第２ボディーが前記第１ボディーの所定位置を過ぎた以後から、前記第２ボディーが前記第１ボディーの特定区間の間自動にスライドされるようにするスライド装置と、を包含して構成されることを特徴とする。
【００１１】
また、前記スライド装置は、前記第２ボディーにスライド方向に沿って所定幅及び深さに形成されるレールと、前記第１ボディーに固定され、前記レールと連結されて前記第２ボディーのスライド移動を案内するように、弾性力を有したガイド部材と、前記レールと前記ガイド部材との間に設置され、前記レールの移動に従って所定区間の間前記ガイド部材の弾性力を変化させるスライド部材と、から構成されることを特徴とする。
【００１２】
また、前記レールは、内部に前記第２ボディーのスライド方向に延長形成される空間を有し、前記スライド部材は、前記レールの内部に設置されて前記第２ボディーのスライド方向に沿って前記レールの幅を変化させる板状に形成されることを特徴とする。
【００１３】
また、前記ガイド部材は、前記第１ボディーに固定されるコネクターと、該コネクターに支持され、前記スライド部材と当接するように前記レールの内側に挿入される弾性部材と、から構成されることを特徴とする。
【００１４】
また、前記弾性部材は、前記コネクターの一側に突出される突条に巻かれて固定される板スプリング形状に形成されることを特徴とする。
【００１５】
このような本発明の目的を達成するための本発明に係る携帯端末機のスライド装置は、携帯端末機の第１ボディー及び第２ボディーとをスライド可能に連結する携帯端末機のスライド装置であって、前記第１ボディーの一面に形成され、所定深さ、長さ及び幅を有するグルーブと、前記グルーブの内側に挿合され、前記グルーブとの間で幅が減少する第１通路が形成されるように折曲される第１折曲部を有したＶ字型の第１板と、前記第２ボディーに固定されて前記第１板とスライド可能に接触され、前記グルーブ内でスライドされながら、前記第１折曲部に向かう間にスライド方向の反対方向の抵抗を受け、前記第１折曲部から遠ざかるときはスライド方向の力を受けるガイド部材と、を包含して構成されることを特徴とする。
【００１６】
また、本発明の目的を達成するための本発明に係る携帯端末機のスライド装置は、カバーを携帯端末機の前方にスライド可能に連結させる携帯端末機のスライド装置であって、前記カバーの内面に該カバーのスライド方向に延長形成された空間状のレールと、前記携帯端末機の前方に固定される第１部、該第１部に脱着自在に設置され、テーパ形状の縁部を有して第２部から形成されるガイド部材と、板状に形成されて前記レールの内部に挿入されることで折曲される折曲部を有したスライド部材と、を含んで構成され、前記ガイド部材が前記レールの内部に挿入される時、前記ガイド部材の第２部の縁部は、前記折曲部に接触され、前記ガイド部材は、前記スライド部材の長さ方向にスライドされることを特徴とする。
【００１７】
従って、一つの局面において、本発明は、
第１ボディーと、
前記第１ボディーにスライド可能に設置される第２ボディーと、
前記第１ボディーと前記第２ボディーとの間に設置され、前記第２ボディーのスライド移動を案内するとともに、前記第２ボディーが前記第１ボディーの所定位置を過ぎた以後から、前記第２ボディーが前記第１ボディーの特定区間の間自動にスライドされるようにするスライド装置と、
を含んで構成されることを特徴とする携帯端末機に関する。
【００１８】
一つの実施形態において、前記スライド装置は、
前記第２ボディーにスライド方向に沿って所定幅及び深さに形成されるレールと、
前記第１ボディーに固定され、前記レールと連結されて前記第２ボディーのスライド移動を案内するように弾性力を有したガイド部材と、
前記レールと前記ガイド部材との間に設置され、前記レールの移動に従って所定区間の間前記ガイド部材の弾性力を変化させるスライド部材と、から構成されることを特徴とする。
【００１９】
好ましい実施形態において、前記レールは、内部に前記第２ボディーのスライド方向に延長形成される空間を有して形成され、前記スライド部材は、前記レールの内部に設置されて、前記第２ボディーのスライド方向に沿って前記レールの幅を変化させる板状に形成されることを特徴とする。
【００２０】
より好ましい実施形態において、前記ガイド部材は、
前記第１ボディーに固定されるコネクターと、
該コネクターに支持され、前記スライド部材に当接されるように前記レールの内部に挿入される弾性部材と、から構成されることを特徴とする。
【００２１】
より好ましい実施形態において、前記弾性部材は、前記コネクターの一側に突出される突条に巻かれて固定される板スプリング形状に形成されることを特徴とする。
【００２２】
より好ましい実施形態において、前記弾性部材は、前記スライド部材と実質的に線接触するように前記スライド部材に向かって折曲部が形成されることを特徴とする。
【００２３】
別の好ましい実施形態において、前記スライド部材は、１対で構成されて前記レールの両側に対向するように設置され、前記ガイド部材は、前記１対のスライド部材間に配置されることを特徴とする。
【００２４】
より好ましい実施形態において、前記弾性部材は、前記１対のスライド部材にそれぞれ線接触するように前記１対のスライド部材に向かって折曲部が形成されることを特徴とする。
【００２５】
別の好ましい実施形態において、前記スライド部材は、前記レールの幅が変化するように折曲されることを特徴とする。
【００２６】
より好ましい実施形態において、前記スライド部材が折曲される折曲部は、複数形成されることを特徴とする。
【００２７】
より好ましい実施形態において、前記スライド部材は、
前記レールの外側に向かって凸状に折曲される第１折曲部と、
前記第１折曲部の両側から前記レールの内側に向かって凸状に折曲される１対の第２折曲部と、を含むことを特徴とする。
【００２８】
より好ましい実施形態において、前記第２ボディーが前記第１ボディーを完全に覆った状態で、前記ガイド部材は、前記第１折曲部に位置することを特徴とする。
【００２９】
より好ましい実施形態において、前記スライド部材は、前記第１折曲部と隣接する前記ガイド部材の一面に向かってテーパされた形状に形成されることを特徴とする。
【００３０】
より好ましい実施形態において、前記複数の折曲部の折曲角度は、相互同様であることを特徴とする。
【００３１】
より好ましい実施形態において、前記複数の折曲部の折曲角度は、相違することを特徴とする。
【００３２】
別の好ましい実施形態において、前記弾性部材及び前記スライド部材の少なくともいずれか一方には、前記弾性部材と前記スライド部材間の潤滑のための潤滑膜が形成されることを特徴とする。
【００３３】
より好ましい実施形態において、前記潤滑膜は、金属またはテフロン（登録商標）からなることを特徴とする。
【００３４】
別の好ましい実施形態において、前記ガイド部材は、
前記第１ボディーに固定されるコネクターと、
前記コネクターにそれぞれスライド可能に連結され、前記スライド部材と接触するように前記レールの内側に挿入される第１及び第２部材と、
前記第１部材と第２部材間に配置され、前記第１及び第２部材が設定距離以内に相互隣接しないようにそれら第１部材と第２部材間に弾性力を与えるスプリングと、から構成されることを特徴とする。
【００３５】
より好ましい実施形態において、前記コネクターには、前記第１及び第２部材のスライド方向に沿って前記第１及び第２部材がスライド可能に挿入されるスロットが形成されることを特徴とする。
【００３６】
より好ましい実施形態において、前記第１及び第２部材は、
一側に前記スプリングの両端がそれぞれ支持されるスプリングシートを有するスプリング支持部と、
前記スプリング支持部から前記コネクターに向かって延長されるスタッド部と、
前記スタッド部の一端から該スタッド部より大きい幅に拡大され、前記コネクターのスロットに挿入される挿入部と、をそれぞれ含むことを特徴とする。
【００３７】
別の局面において、本発明は、携帯端末機の第１ボディーと第２ボディーとをスライド可能に連結する携帯端末機のスライド装置であって、
前記第１ボディーの一面に形成され、所定深さ、長さ及び幅を有するグルーブと、
前記グルーブの内側に挿合され、前記グルーブとの間で幅が減少する第１通路が形成されるように折曲される第１折曲部を有したＶ字型の第１板と、
前記第２ボディーに固定されて前記第１板とスライド可能に接触され、前記グルーブ内でスライドされながら、前記第１折曲部に至る間にスライド方向の反対方向の抵抗を受け、前記第１折曲部から遠ざかるときはスライド方向の力を受けるガイド部材と、
を含んで構成されることを特徴とする携帯端末機のスライド装置に関する。
【００３８】
一つの実施形態において、前記ガイド部材は、前記第１通路内で前記第１折曲部を通過するとき弾力的に変形されるように弾性を有することを特徴とする。
【００３９】
別の実施形態において、前記第１板は、前記ガイド部材が前記第１通路内で前記第１折曲部を通過する時、前記第１通路の幅が広くなるように、弾性を有することを特徴とする。
【００４０】
別の実施形態において、前記グルーブの内部で前記第１板と対向し、該前記第１板との間で幅が減少される第２通路が形成されるように、前記第１板の第１折曲部と対応する位置で折曲される第２折曲部を有したＶ字型の第２板がさらに含まれることを特徴とする。
【００４１】
好ましい実施形態において、前記ガイド部材が前記第１及び第２折曲部に向かってスライドされる時、前記ガイド部材にはスライド方向の反対方向に抵抗が作用することを特徴とする。
【００４２】
別の好ましい実施形態において、前記ガイド部材が前記第１及び第２折曲部から遠い方向にスライドされる時、前記ガイド部材にはスライド方向に力が作用することを特徴とする。
【００４３】
別の好ましい実施形態において、前記ガイド部材は、前記第２通路内で前記第１及び第２折曲部を通過しながら弾力的に変形するように弾性を有することを特徴とする。
【００４４】
別の好ましい実施形態において、前記第１及び第２板は、前記ガイド部材が前記第２通路内で前記第１及び第２折曲部を過ぎる時、前記第２通路の幅が広くなるようにそれぞれ弾性を有することを特徴とする。
【００４５】
別の局面において、本発明は、カバーを携帯端末機の前方にスライド可能に連結させる携帯端末機のスライド装置であって、
前記カバーの内面に該カバーのスライド方向に延長形成された空間状のレールと、
前記携帯端末機の前方に固定される第１部並びに、該第１部に脱着自在に設置され、テーパ形状の縁部を有する第２部から形成されたガイド部材と、
板状に形成されて前記レールの内部に挿入されることで、折曲される折曲部を有するスライド部材と、を含んで構成され、
前記ガイド部材が前記レールの内部に挿入される時、前記ガイド部材の第２部の縁部は、前記折曲部に接触され、前記ガイド部材は、前記スライド部材の長さ方向にスライドされることを特徴とする。
【００４６】
一つの実施形態において、前記ガイド部材の第２部の縁部が前記スライド部材の折曲部の頂点に接触する時、前記カバーには前記カバーがスライドされる方向の反対方向に最大の抵抗が作用することを特徴とする。
【発明の効果】
【００４７】
本発明に係る携帯端末機は、カバーを本体から所定位置まで移動させると、その以後からはカバーが自ら移動して本体を開放または覆蓋させるので、カバー及び本体をスライド移動させる動作が便利であるという利点がある。また、使用者がカバーを移動させる距離が短くなるので、片手でも充分に本体を開放または覆蓋させる動作を容易に遂行し得るという利点がある。一方、本発明の各実施例で独立的に説明した携帯端末機の技術的思想は、相互組み合わせて適用することができる。
【発明を実施するための最良の形態】
【００４８】
以下、図面に基づいて本発明の望ましい実施形態に対して説明する。
【００４９】
第１実施形態
以下、図１ないし図９に基づいて本発明に係る第１実施形態の携帯端末機に対して説明する。
【００５０】
図１に示されたように、本発明に係る第１実施形態のスライド型携帯端末機は、本体としての第１ボディー１２０と、該本体１２０にスライド可能に結合され、前記本体１２０の前方側を覆蓋または開放するカバーとしての第２ボディー１１０と、前記本体１２０と前記カバー１１０間に設置され、前記カバー１１０を前記本体１２０にスライド可能に連結する連結ユニット１７０と、前記本体１２０と前記カバー１１０間に設置されることで、前記カバー１１０のスライド移動を案内するとともに、前記カバー１１０が前記本体１２０からスライドされて所定位置に到達した場合、前記カバー１１０が自動に進行するように前記カバー１１０に力を与えるように該カバー１１０に形成されたスライド装置１３０と、を包含して構成される。
【００５１】
かつ、前記本体１２０は、内部に通信を制御する回路部（図示せず）が収容された本体ハウジング１２６と、該本体ハウジング１２６から延長形成されて通信用電波を送受信するアンテナ１２３と、前記本体ハウジング１２６の外部に露出されて使用者の情報が入力される複数のキー１２１と、使用者の音声信号が入力される送話部１２２と、前記ハウジング１２６の後方側に着脱自在に装着されて電源を供給するバッテリー１２４と、を包含して構成される。
【００５２】
また、前記カバー１１０は、外観をなすカバーハウジング１１１と、前記カバーハウジング１１１の一側に設置されて画像情報が表示されるディスプレー部（図示せず）と、使用者に音声信号を伝達する受話部（図示せず）と、を包含して構成される。
【００５３】
ここで、前記本体１２０及び前記カバー１１０は、ＦＰＣＢ（ｆｌｅｘｉｂｌｅ  ｐｒｉｎｔｅｄ  ｃｉｒｃｕｉｔ  ｂｏａｒｄ）により相互電気的に連結されることで、それら本体１２０とカバー１１０との対向面にはＦＰＣＢの通過する貫通孔１２８、１１４がそれぞれ形成されている。
【００５４】
前記連結ユニット１７０は、前記カバー１１０の前記本体１２０に対向する面に形成され、前記カバー１１０のスライド方向に延長形成された案内グルーブ１７１と、該案内グルーブと対向する前記本体１２０の上面に固定され、前記案内グルーブ１７１に係合されることで、前記カバー１１０を前記本体１２０に連結させる連結部材１７２と、から構成される。
【００５５】
また、図２に示されたように、前記案内グルーブ１７１は、前記カバーハウジング１１１に貫通形成され、前記連結部材１７２は、前記本体ハウジング１２６び表面に固定されて前記案内グルーブ１７１方向に延長された支持部１７６と、該支持部１７６の一方端に形成されて弾性変形されながら前記案内グルーブ１７１に係合されるヘッド部１７４と、からなる。ここで、前記ヘッド部１７４は、前記案内グルーブ１７１に係合される方向の幅が減少されるように形成され、前記案内グルーブ１７１からの離脱を防止するためのステップ１７３と、その中央に挿入されて前記ヘッド部１７４の弾性変形を可能にするスロット１７５とが形成される。
【００５６】
このとき、前記連結ユニット１７０は、このような構成に限定されず、前記案内グルーブ１７１を前記本体ハウジング１２６に形成し、前記連結部材１７２を前記カバー１１０に形成することもできる。
【００５７】
また、図３に示されたように、前記スライド装置１３０は、前記カバーハウジング１１１の内側に形成され、前記カバー１１０のスライド方向に延長された空間状のレール１３２と、前記本体ハウジング１２６に固定され、前記レール１３２の内側にスライド可能に挿入されて前記カバー１１０のスライドを案内する、弾性力を有したガイド部材１３４と、前記レール１３２と前記ガイド部材１３４間に設置され、前記レール１３２の移動に従って前記ガイド部材１３４が弾性力により自ら移動するように所定区間の間該ガイド部材１３４の弾性力を変化させるスライド部材１３７と、を包含して構成される。
【００５８】
また、図４に示されたように、前記レール１３２は、複数のプレート１３２ａによりが相互結合されることで、一側が開放された直六面体形状に形成される。
【００５９】
また、図５に示されたように、前記スライド部材１３７は、前記レール１３２の内部空間内に設置されて前記カバー１１０のスライド方向に沿って前記レール１３２の幅を変化させるように該レール１３２の内側方向に突出折曲される折曲部１３７ａを有したほぼＶ字型の板状に形成される。前記スライド部材１３７は、両側に前記レール１３２の内側面に固定される固定部１３７ｃと前記レール１３２の内側面に勾配を有する傾斜面１３７ｂとを有する。
【００６０】
図６に図示されたように、前記ガイド部材１３４は、前記本体ハウジング１２６に固定されるコネクター１３５と、該コネクター１３５に支持されて前記スライド部材１３７と前記レール１３２の内壁間に介在され、前記レール１３２が移動する場合、該レール１３２の幅の変化により弾性変形される弾性部材１３６と、から形成される。
【００６１】
且つ、前記コネクター１３５は、前記本体ハウジング１２６に固定するための締結ホール１３５ｂが形成された固定板１３５ａと、該固定板１３５ａから突出されて前記弾性部材１３６が支持される突条１３５ｃと、から形成される。ここで、前記本体ハウジング１２６には前記固定板１３５ａの締結ホール１３５ｂと連結される締結ホール１２７（図１参照）が形成され、締結手段が前記本体ハウジング１２６及び前記固定板１３５ａの各締結ホール１２７、１３５ｂに挿入されることにより前記固定板１３５ａが前記本体ハウジング１２６に結合される。ここで、前記固定板１３５ａと前記本体ハウジング１２６との結合構造は、前述した構造に限らず、溶接などの他の方法を適用することもできる。
【００６２】
また、前記弾性部材１３６は、両端１３６ｂが前記コネクター１３５の突起１３５ｃに巻かれることで、前記コネクター１３５に脱着自在に係合固定される板スプリング  形状に形成される。且つ、前記弾性部材１３６は、前記スライド部材１３７との摩擦抵抗を減らすために、前記スライド部材１３７と実質的に線接触されるように前記スライド部材１３７に向かって折曲部１３６ａが折曲形成される。
【００６３】
ここで、前記弾性部材１３６は、前記レール１３２と前記スライド部材１３７間に挿入され、前記折曲部１３６ａが前記スライド部材１３７に常に接触された状態で前記レール１３２及びスライド部材１３７に沿って移動しながら弾性変形される。
【００６４】
ここで、前記スライド部材１３７及び前記弾性部材１３６は常に接触された状態でスライドされるため、前記スライド部材１３７及び前記弾性部材１３６の少なくとも一方には潤滑のための潤滑膜が形成されることが望ましく、このような潤滑膜は、金属またはテフロン（登録商標）からなることが望ましい。
【００６５】
一方、このようなスライド装置１３０は、前述したような構成に限らず、前記レール１３２を前記本体ハウジング１２６に設置し、前記ガイド部材１３４を前記カバー１１０に固定することもできる。
【００６６】
以下、図７ないし図９に基づいて、本発明に係る携帯端末機の第１実施形態のスライド装置１３０に対する動作を説明する。
【００６７】
図７に図示されたように、前記本体１２０の前方側を開放または覆蓋する場合、使用者が前記カバー１１０を前記本体１２０からスライド移動させる。この時、前記レール１３２が停止された状態の前記ガイド部材１３４を基準に移動すると、前記ガイド部材１３４の弾性部材１３６は、前記レール１３２と前記スライド部材１３７間の幅によって次第に収縮される。
【００６８】
且つ、図８に示されたように、前記レール１３２が該レール１３２と前記スライド部材１３７間の幅が最小になる位置、つまり、前記スライド部材１３７の折曲部１３７ａの位置を通過すると、前記レール１３２と前記スライド部材１３７間の幅が次第に大きくなる。
【００６９】
従って、図９に示されたように、収縮された前記弾性部材１３６自身の弾性復元力が発生し、弾性復元力による反発力によって、前記スライド部材１３７には前記レール１３２のスライド方向に力が作用し、よって、前記レール１３２は、使用者の作用力なしに自らスライド移動される。
【００７０】
従って、使用者が前記カバー１１０を前記レール１３７の折曲部１３７ａと前記弾性部材１３６の折曲部１３６ａとが相互接触する位置まで移動させると、その位置以後からは前記カバー１１０が前記本体１２０から自らスライド移動し、前記本体１２０の前方側が開放または覆蓋される。
【００７１】
つまり、本発明に係る携帯端末機の第１実施形態は、前記カバー１１０を前記本体１２０から所定位置まで移動させることで、その以後からは前記カバー１１０が自動に移動して前記本体１２０を開放または覆蓋させるようになるため、前記カバー１１０及び前記本体１２０のスライド移動動作が便利であるという利点がある。また、使用者が前記カバー１１０を移動させる距離が短縮されるため、片手でも充分に前記本体１２０を開放または覆蓋し得る動作を容易に遂行することができるという利点がある。
【００７２】
第２実施形態
以下、図１０ないし図１８に基づいて、本発明に係る携帯端末機の第２実施形態にに対して説明するが、第１実施形態と同様な部分は同一符号を付与してその説明を省略する。
【００７３】
図１０に示されたように、本発明に係る携帯端末機の第２実施形態においては、カバー１１０が本体１２０からスライドされて所定位置以上移動した場合、前記カバー１１０が自ら進行するように前記カバー１１０に外力を与えるスライド装置２３０が、前記カバー１１０の一方側にのスライド方向に延長形成されたレール２３２と、前記本体１２０に固定され、前記レール２３２の内側の幅中央にスライド可能に係合されることで前記カバー１１０のスライドを案内するとともに、弾性力を有したガイド部材２３４と、前記レール２３２と前記ガイド部材２３４間に設置され、前記レール２３２の移動によって所定区間の間前記ガイド部材２３４の弾性力を変化させる１対のスライド部材２３７と、を包含して構成されている。
【００７４】
且つ、図１１に示されたように、前記レール２３２は、複数のプレート２３２ａが相互結合されて一方側が開放された直六面体形状に形成される。
【００７５】
また、図１２に示されたように、前記スライド部材２３７は、前記レール２３２の内部両側に設置され、前記カバー１１０のスライド方向に沿って前記レール２３２の幅が変化するように該レール２３２の内側方向に突出折曲される折曲部２３７ａと、該折曲部２３７ａから延長されて両側に前記レール２３２の内側面とほとんど水平をなすように形成され、前記レール２３２の内面に固定される固定部２３７ｃと、該固定部２３７ｃと前記折曲部２３７ａ間に延長され、前記レール２３２の内側に向かって所定角度の勾配を有する傾斜面２３７ｂと、から形成される。
【００７６】
また、図１３に示されたように、前記ガイド部材２３４においては、前記本体１２０に固定される板状のコネクター２３５と、該コネクター２３５にそれぞれ対向してスライド可能に支持される第１及び第２部材２３８、２３９と、それら第１及び第２部材２３８、２３９間に配置され、それら第１及び第２部材２３８、２３９が設定された距離以内に相互隣接されることを防止するために前記第１及び第２部材２３８、２３９の間に弾性力を与えるスプリング２３６と、から構成される。
【００７７】
つまり、前記コネクター２３５には、前記第１及び第２部材２３８、２３９がスライド可能に固定されるスロット２３５ａ及び前記本体１２０に固定するための締結ホール２３５ｄが形成される。前記スロット２３５ａは、前記コネクター２３５の内側に形成されて前記第１及び第２部材２３８、２３９がスライドされる方向に延長され、それら前記第１及び第２部材２３８、２３９の後述するスタッド部２３８ｆ、２３９ｆが挿入されるスタッド部挿入部２３５ｂと、前記スタッド部挿入部２３５ｂより大きい幅に前記コネクター２３５の内側に形成され、前記第１及び第２部材２３８、２３９の後述する各挿入部２３８ｂ、２３９ｂがスライド可能に挿入される挿入溝２３５ｃと、からなる。
【００７８】
前記第１部材２３８は、一方側に前記スプリング２３６の一端が支持されるようにスプリングシート２３８ｃが突成され、前記レール２３２（図１０参照）の内側に前記スライド部材２３７と接触するように挿入されるスプリング支持部２３８ａと、該スプリング支持部２３８ａから前記コネクター２３５方向に延長形成されたスタッド部２３８ｆと、該スタッド部２３８ｆの下端から該スタッド部２３８ｆより大きい幅に形成されて前記コネクター２３５のスロット２３５ｃにスライド可能に挿入される挿入部２３８ｂと、前記スプリングシート２３８ｃの両側の前記スプリング支持部２３８ａから前記第２部材２３９方向に延長され、先方端に係止突条２３８ｅが形成された連結ロード部２３８ｄと、から構成される。
【００７９】
また、前記第２部材２３９は、一側に前記スプリング２３６の他方端が挿入されるようにスプリングシート２３９ｃが突成されて前記レール２３２の内側の前記スライド部材２３７と接触されるように形成されたスプリング支持部２３９ａと、該スプリング支持部２３９ａの下方から前記コネクター２３５方向に延長されたスタッド部２３９ｆと、該スタッド部２３９ｆの下端に該スタッド部２３９ｆより大きい幅に拡大され、前記コネクター２３５のスロット２３５ｃにスライド可能に挿入される挿入部２３９ｂと、前記スプリングシート２３９ｃの両側の前記スプリング支持部２３９ａから前記第１部材２３８方向に延長され、その先方端に前記第１部材２３８の係止突条２３８ｅと係合されるように係止突条２３９ｅが形成された連結ロード部２３９ｄと、から構成される。
【００８０】
ここで、前記第１及び第２部材２３８、２３９の各スプリング支持部２３８ａ、２３９ａの前記スライド部材２３７と接触される面には、前記スライド部材２３７と  実質的に線接触されるようにテーパ形状の縁部２３８ｇ、２３９ｇが形成されることが望ましい。
【００８１】
また、図１４及び１５に図示されたように、前記ガイド部材２３４の第１及び第２部材２３８、２３９は、スプリング２３６の弾性力及び外力により相互離隔される方向及び相互隣接する方向に移動されるが、このとき、前記スプリング２３６の弾性力により前記第１及び第２部材２３８、２３９が相互離隔される方向に移動する場合は、前記第１及び第２部材２３８、２３９の係止突条２３８ｅ、２３９ｅが相互噛み合うようになって、前記第１及び第２部材２３８、２３９が相互離脱されることが防止される。
【００８２】
以下、図１６ないし図１８に基づいて本発明に係る携帯端末機の第２実施形態のスライド装置２３０の動作に対して説明する。
【００８３】
図１６に図示されたように、前記本体１２０の前方側を開放または覆蓋させる場合、使用者が前記カバー１１０を前記本体１２０からスライド移動させると、前記レール２３２に停止された状態の前記ガイド部材２３４が移動される。次いで、前記レール２３２がずっと移動すると、前記ガイド部材２３４の第１及び第２部材２３８、２３９は、前記スライド部材２３７間の幅が減少されるようになるため、相互隣接した方向に移動され、前記スプリング２３６は次第に収縮される。
【００８４】
また、図１７に示されたように、前記レール２３２が移動して前記第１及び第２部材２３８、２３９が、前記スライド部材２３７間の幅が最小になる位置、つまり、前記スライド部材２３７の折曲部２３７ａの位置を通過すると、前記スライド部材２３７間の幅が次第に大きくなる。
【００８５】
従って、図１８に示されたように、収縮された前記スプリング２３６の弾性復元力により前記第１及び第２部材２３８、２３９には相互離隔する方向に力が作用され、よって、前記レール２３２には該レール２３２のスライド方向に力が作用されるため、そのレール２３２は使用者の外力が作用しない状態でも自らスライド移動される。
【００８６】
従って、使用者は前記カバー１１０を前記レール２３７の折曲部２３７ａと前記第１及び第２部材２３８、２３９とが相互接触する位置まで移動させると、その以後は前記カバー１１０が前記本体１２０から自らスライド移動されて前記本体１２０の前方側を開放または覆蓋させる。
【００８７】
第３実施形態
以下、図１９ないし図３０に基づいて本発明に係る携帯端末機の第３実施形態に対して説明する。前述した実施形態と同様な部分に対しては同一符号を付与し、その説明を省略する。
【００８８】
図１９に示されたように、携帯端末機のカバー１１０が本体１２０からスライドされて所定位置以上移動した場合、前記カバー１１０が自ら進行するように前記カバー１１０に外力を作用させるスライド装置３３０は、前記カバー１１０の一方側に溝状の空間を有するように前記カバー１１０のスライド方向に形成されたレール３３２と、前記本体１２０に固定されて前記レール３３２の内側の幅中央にスライド可能に挿入され、前記カバー１１０のスライドを案内するように、弾性力を有したガイド部材３３４と、前記レール３３２と前記ガイド部材３３４との間に設置され、前記レール３３２中で移動により所定区間の間前記ガイド部材３３４の弾性力を変化させる一対のスライド部材３３７と、を包含して構成される。
【００８９】
かつ、図２０に示されたように、前記レール３３２は、複数のプレート３３２ａが相互結合されてその一側が開放された直六面体状に形成される。
【００９０】
また、図２１に示されたように、前記スライド部材３３７は、前記レール３３２の内部両面に設置され、前記カバー１１０のスライド方向に沿って前記レール３３２の幅が変化するように複数の折曲部を有する板状に形成される。つまり、前記スライド部材３３７は、その中心に近い辺が前記レール３３２の外側方向に凸状に折曲されて１対の第１傾斜面３３７ｈ、３３７ｈを有する第１折曲部３３７ｃと、該第１折曲部３３７ｃの両側から前記レール３３２の内側に向かって凸状に折曲されて１対の第２傾斜面３３７ｇ、３３７ｇをなす１対の第２折曲部３３７ｂ、３３７ｂと、それら第２折曲部３３７ｂ、３３７ｂの両側で前記レール３３２の内側壁とほとんど平行な面を有するように、前記レール３３２の内側壁に固定された一対の固定面３３７ｆ、３３７ｆをなす第３折曲部３３７ａ、３３７ａと、から形成されする。
【００９１】
ここで、前記第１折曲部３３７ｃと隣接した第１傾斜面３３７ｈの前記ガイド部材３３４方向に一面には前記ガイド部材３３４が任意に移動することを防止するための障害突起３３７ｉが突成される。
【００９２】
且つ、前記第１折曲部３３７ｃ及び前記第２折曲部３３７ｂ、３３７ｂのそれぞれの折曲される角度は、それら折曲部の位置と関係があり、それら折曲部の折曲角度は、それぞれ同様または相違に形成することもできる。一方、前記スライド部材３３７の折曲部の個数は、前述した構造に限定されるものはない。
【００９３】
また、図２２に示されたように、前記ガイド部材３３４は、前記本体１２０に固定されたコネクター３３５と、該コネクター３３５に支持されて前記スライド部材３３７間に介在され、前記レール３３２が移動する場合、前記スライド部材３３７間の幅の変化によって弾性変形される弾性部材３３６と、から構成される。
【００９４】
前記コネクター３３５は、前記本体１２０に固定されるための締結ホール３３５ｂが形成された固定板３３５ａと、該固定板３３５ａに突出されて前記弾性部材３３６を支持する突起３３５ｃと、から形成される。
【００９５】
且つ、前記弾性部材３３６は、二つのコーナー３３６ｂが前記コネクター３３５の突起３３５ｃに巻かれて固定され、他の二つのコーナー３３６ａは、前記スライド部材３３７にそれぞれ線接触されるひし形の板状に形成される。前記弾性部材３３６は、前記スライド部材３３７に接触された状態で前記レール３３２の移動により弾性変形される。
【００９６】
一方、図２３及び図２４に図示されたように、前記ガイド部材３３４は、前記カバー１１０が前記本体１２０を完全に覆う場合、前記スライド部材３３７の前記第１折曲部３３７ｃ、つまり、第１傾斜面３３７ｈ間に位置され、前記スライド部材３３７の第１傾斜面３３７ｈは、前記ガイド部材３３４方向にテーパされた形状に形成される。また、前記第１傾斜面３３７ｈに形成される障害突起３３７ｉは、前記弾性部材３３６が容易に移動することを防止する役割をする。
【００９７】
以下、図２５ないし図３０に基づいて本発明に係る携帯端末機の第３実施形態のスライド装置３３０の作用に対して説明する。
【００９８】
図２５及び図２８に示されたように、前記カバー１１０が前記本体１２０を完全に覆った場合、前記ガイド部材３３４は、前記スライド部材３３７の第１折曲部３３７ｃに位置され、前記本体１２０の前方側を開放または覆蓋するために前記カバー１１０がスライドする場合、前記レール３３２が矢印方向に移動する。
【００９９】
つまり、図２６ないし図２９に示されたように、前記レール３３２が停止した状態で前記ガイド部材３３４を基準に移動すると、前記ガイド部材３３４の弾性部材３３６は、前記スライド部材３３７間の幅が減少するにつれて次第に収縮される。
【０１００】
次いで、図２７ないし図３０に示されたように、前記レール３３２が前記スライド部材３３７間の幅が最小になる位置、つまり、前記スライド部材３３７の第２折曲部３３７ｂの位置を通過すると、前記スライド部材３３７間の幅が次第に大きくなる。従って、収縮された前記弾性部材３３６自体に弾性復元力が発生し、このような前記弾性部材３３６の弾性復元力による反発力により前記スライド部材３３７には前記レール３３２のスライド方向に力が作用される。よって、前記レール３３２は、使用者の外力が作用されない状態でも自らスライド移動される。従って、使用者が前記カバー１１０を所定位置まで移動させると、その位置以後からは前記カバー１１０自信が前記本体１２０からスライド移動するようになり、前記本体１２０の前方側が開放または覆蓋される。
【０１０１】
このように構成された、本発明に係る携帯端末機の第３実施形態の作用及び効果は、前述した第２実施形態と実質的に同一である。
【０１０２】
第４実施形態
以下、図３１ないし図３７に基づいて本発明に係る携帯端末機の第４実施形態に対して説明する。
【０１０３】
図３１に図示されたように、本発明の第４実施形態に係る携帯端末機のカバー１１０が本体１２０からスライドされて所定位置以上移動した場合、前記カバー１１０が自ら進行するように前記カバー１１０に力が作用されるスライド装置４３０においては、前記カバー１１０の一方側のスライド方向に延長形成されたレール４３２と、前記本体１２０に固定され、前記レール４３２の内側の幅中央にスライド可能に挿入されて前記カバー１１０のスライドを案内するガイド部材４３４と、前記レール４３２の内側に設置され、該レール４３２の幅を変化させるとともに、前記レール４３２の移動によって所定区間の間弾性変形されるスライド部材４３７と、を包含して構成される。
【０１０４】
且つ、図３２に示されたように、前記レール４３２は、複数のプレート４３２ａが相互結合され、その一側が開放された直六面体形状に形成される。
【０１０５】
また、図３３に示されたように、前記スライド部材４３７は、前記レール４３２の内部両側に設置され、前記カバー１１０のスライド方向に沿って前記レール４３２の幅が変化するように前記レール４３２の内側方向に凸状に折曲される折曲部４３７ａを有する板状に形成される。ここで、前記スライド部材４３７は、その両側に前記レール４３２の内面に固定される固定部４３７ｃ及び前記レール４３２の内側に勾配を有した傾斜面４３７ｂが形成される。このようなスライド部材４３７は、外力が作用する場合は、前記傾斜面４３７ｂと前記固定部４３７ｃとが相互一平面をなすように変形され、外力の作用が解除されると、自体の弾性復元力により元来の状態を維持するようになる。
【０１０６】
また、図３４に示されたように、前記ガイド部材４３４は、前記本体１２０に固定されるコネクター４３５と、該コネクター４３５に支持され、前記スライド部材４３７間に介在されて前記レール４３２が移動する場合、前記スライド部材４３７を弾性変形させる加圧部材４３６と、から構成される。
【０１０７】
ここで、前記コネクター４３５は、前記本体１２０に固定されるための締結ホール４３５ｂが形成される固定板４３５ａと、該固定板４３５ａから突出されて前記加圧部材４３６が支持される突条４３５ｃと、からなる。
【０１０８】
また、前記加圧部材４３６は、両端４３６ｂが前記コネクター４３５の突条４３５ｃに巻かれることにより前記コネクター４３５に固定される板状に形成され、前記レール４３２の内側に向かって突出され、前記スライド部材４３７と線接触されるようにテーパ形状に形成された一対の突出部４３６ａを有する。従って、前記加圧部材４３６は、該突出部４３６ａが前記スライド部材４３７に常に接触された状態で前記レール４３２の移動によりスライドされ、前記スライド部材４３７を弾性的に変形させる。
【０１０９】
以下、図３５ないし図３７に基づいて本発明に係る携帯端末機の第４実施形態のスライド装置４３０の作用に対して説明する。
【０１１０】
図３５に図示されたように、前記本体１２０の前方側を開放または覆蓋する場合、使用者が前記カバー１１０を前記本体１２０からスライド移動させる。この時、前記レール４３２が停止した状態の前記ガイド部材４３４を基準に移動する。つまり、前記レール４３２がずっと移動すると、前記ガイド部材４３４は、前記スライド部材４３７の傾斜面４３７ｂを押しながら進行し、よって、前記スライド部材４３７は、前記レール４３２の内壁とほとんど平行をなすように弾性的に変形される。
【０１１１】
次いで、図３６及び図３７に図示されたように、前記ガイド部材４３４が前記スライド部材４３７の折曲部４３７ａの位置を通過すると、弾性的に変形された前記スライド部材４３７には、元来の形態に復帰しようとする弾性復元力が作用され、このような前記スライド部材４３７の弾性復元力による反発力により前記レール４３２には前記カバー１１０のスライド方向への力が作用されるため、前記レール４３２は、使用者の外力が作用されない状態で自らスライド移動される。
【０１１２】
従って、使用者が前記カバー１１０を前記ガイド部材４３４が前記スライド部材４３７の折曲部４３７ａと接触する位置まで移動させると、その位置以後からは前記カバー１１０が前記本体１２０から自らスライド移動するようになり、前記本体１２０の前方側は開放または覆蓋される。
【０１１３】
このような本発明に係る携帯端末機の第４実施形態の効果は、前述の第１実施形態と実質的に同様である。
【０１１４】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【０１１５】
【図１】本発明に係る携帯端末機の第１実施形態を示した分解斜視図である。
【図２】図１の凹部の拡大縦断面図である。
【図３】図１のスライド装置を示した縦断面図である。
【図４】図１のスライド装置のレールを示した斜視図である。
【図５】図１のスライド装置のスライド部材を示した斜視図である。
【図６】図１のスライド装置のガイド部材を示した分解斜視図である。
【図７】図１のカバーが覆蓋された場合のスライド装置の動作状態を示した説明図である。
【図８】図１のカバーがスライド中のスライド装置の動作状態を示した説明図である。
【図９】図１のカバーのスライド動作が終了されたときのスライド装置の動作状態を示した説明図である。
【図１０】本発明に係る携帯端末機の第２実施形態のスライド装置を示した平面図である。
【図１１】図１０のスライド装置のレールを示した斜視図である。
【図１２】図１０のスライド装置のスライド部材を示した斜視図である。
【図１３】本発明に係る携帯端末機の第２実施形態のスライド装置のガイド部材を示した分解斜視図である。
【図１４】本発明に係る携帯端末機の第２実施形態のスライド装置のガイド部材のスライド動作以前の動作状態を示した説明図である。
【図１５】本発明に係る携帯端末機の第２実施形態のスライド装置のガイド部材のスライド動作中の動作状態を示した説明図である。
【図１６】図１０のレールの折曲部を通過する以前のスライド装置の動作状態を示した説明図である。
【図１７】図１０のレールの折曲部を通過するときのスライド装置の作動状態を示した説明図である。
【図１８】図１０のスライド動作終了時のスライド装置の作動状態を示した説明図である。
【図１９】本発明に係る携帯端末機の第３実施携帯のスライド装置を示した平面図である。
【図２０】図１９のスライド装置のレールを示した斜視図である。
【図２１】図１９のスライド装置のスライド部材を示した斜視図である。
【図２２】図１９のスライド装置のガイド部材を示した分解斜視図である。
【図２３】図１９のスライド装置の一部拡大して示した平面図である。
【図２４】図２３の凹部拡大図である。
【図２５】図１９のスライド装置の動作初期の状態を示した説明図である。
【図２６】図１９のスライド装置の上方向スライド動作中の動作状態を示した説明図である。
【図２７】図１９のスライド装置の上方向スライド動作中の動作が終了した場合の説明図である。
【図２８】図１９のスライド装置の下方向のスライド中の動作初期を示した説明図である。
【図２９】図１９のスライド装置の下方向スライド中の動作中の状態を示した説明図である。
【図３０】図２９のスライド装置の動作が終了した場合の動作状態を示した説明図である。
【図３１】本発明に係る携帯端末機の第４実施形態のスライド装置を示した平面図である。
【図３２】図３１のスライド装置のレールを示した斜視図である。
【図３３】本発明に係る携帯端末機の第４実施形態のスライド装置のスライド部材を示した斜視図である。
【図３４】図３３のスライド装置のガイド部材を示した分解斜視図である。
【図３５】図３３のスライド装置のスライド初期の動作状態を示した説明図である。
【図３６】図３３のスライド装置のスライド中の動作状態を示した説明図である。
【図３７】図３３のスライド装置のスライド終了時の動作状態を示した説明図である。
【図３８】従来の携帯端末機を示した斜視図である。
【図３９】従来の携帯端末機の本体が開放された状態を示した斜視図である。
【図４０】従来の携帯端末機を示した分解斜視図である。
【符号の説明】
【０１１６】
１１０：カバー
１２０：本体
１３０、２３０、３３０、４３０：スライド装置
１３２、２３２、３３２、４３２：レール
１３４、２３４、３３４、４３４：ガイド部材
１３７、２３４、３３７、４３７：スライド部材
【図１】
2005135417.tif 000003
【図２】
2005135417.tif 000004
【図３】
2005135417.tif 000005
【図４】
2005135417.tif 000006
【図５】
2005135417.tif 000007
【図６】
2005135417.tif 000008
【図７】
2005135417.tif 000009
【図８】
2005135417.tif 000010
【図９】
2005135417.tif 000011
【図１０】
2005135417.tif 000012
【図１１】
2005135417.tif 000013
【図１２】
2005135417.tif 000014
【図１３】
2005135417.tif 000015
【図１４】
2005135417.tif 000016
【図１５】
2005135417.tif 000017
【図１６】
2005135417.tif 000018
【図１７】
2005135417.tif 000019
【図１８】
2005135417.tif 000020
【図１９】
2005135417.tif 000021
【図２０】
2005135417.tif 000022
【図２１】
2005135417.tif 000023
【図２２】
2005135417.tif 000024
【図２３】
2005135417.tif 000025
【図２４】
2005135417.tif 000026
【図２５】
2005135417.tif 000027
【図２６】
2005135417.tif 000028
【図２７】
2005135417.tif 000029
【図２８】
2005135417.tif 000030
【図２９】
2005135417.tif 000031
【図３０】
2005135417.tif 000032
【図３１】
2005135417.tif 000033
【図３２】
2005135417.tif 000034
【図３３】
2005135417.tif 000035
【図３４】
2005135417.tif 000036
【図３５】
2005135417.tif 000037
【図３６】
2005135417.tif 000038
【図３７】
2005135417.tif 000039
【図３８】
2005135417.tif 000040
【図３９】
2005135417.tif 000041
【図４０】
2005135417.tif 000042